(57)【要約】【課題】ユーザに無駄な操作をおこなわせることなく、ＷＥＢページの安全性をユーザに把握させること。【解決手段】文書情報提供装置１１０は、受信部３０１と、取得部３０２と、決定部３０３と、送信部３０４と、を備えて構成されている。受信部３０１は、リンク情報に対するマウスオーバー操作に関する操作情報を受信する。取得部３０２は、受信された操作情報によって特定されるリンク情報に関連付けられた文書情報を取得する。決定部３０３は、取得された文書情報に基づいて、ＷＥＢページの安全性に関する出力データを決定する。送信部３０４は、決定された出力データをＷＥＢ端末装置に送信する。これにより、ＷＥＢ端末装置においてリンク情報に対するマウスオーバー操作がおこなわれた際に、このリンク情報（リンク先のＷＥＢページ）のＷＥＢページの安全性に関する情報を、ＷＥＢ端末装置に出力させることができる。【選択図】図３
2008181445.tif 000002
【特許請求の範囲】
【請求項１】
リンク情報に対する所定の操作がおこなわれた際に、前記リンク情報に関連付けられた出力データを出力する出力手段を備えたＷＥＢ端末装置に対して、前記出力データを提供する文書情報提供方法であって、
前記ＷＥＢ端末装置においておこなわれた、前記リンク情報に対する所定の操作に関する情報（以下、「操作情報」という）を受信する受信工程と、
前記受信工程によって受信された操作情報によって特定されるリンク情報に関連付けられた文書情報を取得する取得工程と、
前記取得工程によって取得された文書情報に基づいて、前記出力手段に出力させる出力データを決定する決定工程と、
前記決定工程によって決定された出力データを前記ＷＥＢ端末装置に送信する送信工程と、
をコンピュータに実行させることを特徴とする文書情報提供方法。
【請求項２】
リンク情報に対する所定の操作がおこなわれた際に、前記リンク情報に関連付けられた出力データを出力する出力手段を備えたＷＥＢ端末装置に対して、前記出力データを提供する文書情報提供方法であって、
前記ＷＥＢ端末装置においておこなわれた、ＷＥＢページへのアクセス処理に関する情報（以下、「アクセス情報」という）を受信する受信工程と、
前記受信工程によって受信されたアクセス情報によって特定されるＷＥＢページを取得するＷＥＢページ取得工程と、
前記ＷＥＢページ取得工程によって取得されたＷＥＢページの中から、リンク情報を検索する検索工程と、
前記検索工程によって検索されたリンク情報に関連付けられた文書情報を取得する文書情報取得工程と、
前記文書情報取得工程によって取得された文書情報に基づいて、前記出力手段に出力させる出力データを決定する決定工程と、
前記決定工程によって決定された出力データを前記ＷＥＢ端末装置に送信する送信工程と、
をコンピュータに実行させることを特徴とする文書情報提供方法。
【請求項３】
前記リンク情報に対する所定の操作は、マウスオーバー操作であることを特徴とする請求項１または２に記載の文書情報提供方法。
【請求項４】
前記文書情報は、人気度、安全度、要約、キーワード、の少なくともいずれか一つを含むことを特徴とする請求項１〜３のいずれか一つに記載の文書情報提供方法。
【請求項５】
前記出力データは、ＷＥＢページの安全性を示すデータであることを特徴とする請求項１〜４のいずれか一つに記載の文書情報提供方法。
【請求項６】
前記出力データは、ポップアップ画面表示データであることを特徴とする請求項１〜５のいずれか一つに記載の文書情報提供方法。
【請求項７】
前記出力データは、音声出力データであることを特徴とする請求項１〜５のいずれか一つに記載の文書情報提供方法。
【請求項８】
リンク情報に対する所定の操作がおこなわれた際に、前記リンク情報に関連付けられた出力データを出力する出力手段を備えたＷＥＢ端末装置に対して、前記出力データを提供する文書情報提供プログラムであって、
前記ＷＥＢ端末装置においておこなわれた、前記リンク情報に対する所定の操作に関する情報（以下、「操作情報」という）を受信する受信工程と、
前記受信工程によって受信された操作情報によって特定されるリンク情報に関連付けられた文書情報を取得する取得工程と、
前記取得工程によって取得された文書情報に基づいて、前記出力手段に出力させる出力データを決定する決定工程と、
前記決定工程によって決定された出力データを前記ＷＥＢ端末装置に送信する送信工程と、
をコンピュータに実行させることを特徴とする文書情報提供プログラム。
【請求項９】
リンク情報に対する所定の操作がおこなわれた際に、前記リンク情報に関連付けられた出力データを出力する出力手段を備えたＷＥＢ端末装置に対して、前記出力データを提供する文書情報提供プログラムであって、
前記ＷＥＢ端末装置においておこなわれた、ＷＥＢページへのアクセス処理に関する情報（以下、「アクセス情報」という）を受信する受信工程と、
前記受信工程によって受信されたアクセス情報によって特定されるＷＥＢページを取得するＷＥＢページ取得工程と、
前記ＷＥＢページ取得工程によって取得されたＷＥＢページの中から、リンク情報を検索する検索工程と、
前記検索工程によって検索されたリンク情報に関連付けられた文書情報を取得する文書情報取得工程と、
前記文書情報取得工程によって取得された文書情報に基づいて、前記出力手段に出力させる出力データを決定する決定工程と、
前記決定工程によって決定された出力データを前記ＷＥＢ端末装置に送信する送信工程と、
をコンピュータに実行させることを特徴とする文書情報提供プログラム。
【請求項１０】
リンク情報に対する所定の操作がおこなわれた際に、前記リンク情報に関連付けられた出力データを出力する出力手段を備えたＷＥＢ端末装置に対して、前記出力データを提供する文書情報提供装置であって、
前記ＷＥＢ端末装置においておこなわれた、前記リンク情報に対する所定の操作に関する情報（以下、「操作情報」という）を受信する受信手段と、
前記受信手段によって受信された操作情報によって特定されるリンク情報に関連付けられた文書情報を取得する取得手段と、
前記取得手段によって取得された文書情報に基づいて、前記出力手段に出力させる出力データを決定する決定手段と、
前記決定手段によって決定された出力データを前記ＷＥＢ端末装置に送信する送信手段と、
を備えたことを特徴とする文書情報提供装置。
【請求項１１】
リンク情報に対する所定の操作がおこなわれた際に、前記リンク情報に関連付けられた出力データを出力する出力手段を備えたＷＥＢ端末装置に対して、前記出力データを提供する文書情報提供装置であって、
前記ＷＥＢ端末装置においておこなわれた、ＷＥＢページへのアクセス処理に関する情報（以下、「アクセス情報」という）を受信する受信手段と、
前記受信手段によって受信されたアクセス情報によって特定されるＷＥＢページを取得するＷＥＢページ取得手段と、
前記ＷＥＢページ取得手段によって取得されたＷＥＢページの中から、リンク情報を検索する検索手段と、
前記検索手段によって検索されたリンク情報に関連付けられた文書情報を取得する文書情報取得手段と、
前記文書情報取得手段によって取得された文書情報に基づいて、前記出力手段に出力させる出力データを決定する決定手段と、
前記決定手段によって決定された出力データを前記ＷＥＢ端末装置に送信する送信手段と、
を備えたことを特徴とする文書情報提供装置。
【請求項１２】
ＷＥＢページを表示する表示手段と、
前記表示手段によって表示されたＷＥＢページのうち、リンク情報に対する所定の操作の入力を受け付ける入力手段と、
前記入力手段によって前記リンク情報に対する所定の操作がおこなわれた結果、前記リンク情報に関連付けられた文書情報を取得する取得手段と、
前記取得手段によって取得された文書情報に基づいて、出力データを決定する決定手段と、
前記決定手段によって決定された出力データを出力する出力手段と、
を備えたことを特徴とするＷＥＢ端末装置。
【発明の詳細な説明】
【技術分野】
【０００１】
この発明は、ＷＥＢ端末装置においてリンク情報に対する所定の操作がおこなわれた際に、リンク情報に関連付けられた出力データをＷＥＢ端末装置に出力させる文書情報提供方法、文書情報提供プログラム、文書情報提供装置、およびＷＥＢ端末装置に関する。
【背景技術】
【０００２】
近年、インターネットが普及したことにより、様々なＷＥＢページを容易に閲覧することができるようになってきているが、中には、ユーザにとって好ましくない有害なＷＥＢページも多く含まれる。多くのユーザからは有害なＷＥＢページへのアクセスを制限することができるサービスの提供が望まれていた。
【０００３】
そこで、ＷＥＢ端末装置からＷＥＢページへアクセスする際に、インターネット経路上に設けられたフィルターサーバにより、有害なＷＥＢページをフィルタリングする（すなわち、ＷＥＢ端末装置に送信しない）方法が考案されている（たとえば、下記特許文献１参照。）。このような方法により、ＷＥＢ端末装置による有害なＷＥＢページへのアクセスを容易に制限することができるものとされている。
【０００４】
【特許文献１】特開２００４−４６７３９号公報
【発明の開示】
【発明が解決しようとする課題】
【０００５】
しかしながら、上記特許文献１に記載の従来技術にあっては、たとえば、リンク情報に対するダブルクリック操作など、ユーザによるＷＥＢページへの明示的なアクセス要求操作がおこなわれないかぎり、ＷＥＢページが安全なものなのか、どれくらいの安全度なのかをユーザに把握させることができない。このため、ユーザは無駄な操作をおこなわなければならず、インターネットサービスにおけるユーザビリティの低下が問題となっていた。また、インターネット経路上における無駄な通信が発生するため、インターネット経路上における利用効率が低下するといった問題が生じていた。
【０００６】
この発明は、上述した従来技術による問題点を解消するため、ユーザに無駄な操作をおこなわせることなく、ＷＥＢページの安全性をユーザに把握させることにより、インターネットサービスにおけるユーザビリティの向上を図ることができる、文書情報提供方法、文書情報提供プログラム、文書情報提供装置、およびＷＥＢ端末装置を提供することを目的とする。
【課題を解決するための手段】
【０００７】
上述した課題を解決し、目的を達成するため、この発明にかかる文書情報提供方法は、リンク情報に対する所定の操作がおこなわれた際に、前記リンク情報に関連付けられた出力データを出力する出力手段を備えたＷＥＢ端末装置に対して、前記出力データを提供する文書情報提供方法であって、前記ＷＥＢ端末装置においておこなわれた、前記リンク情報に対する所定の操作に関する情報（以下、「操作情報」という）を受信する受信工程と、前記受信工程によって受信された操作情報によって特定されるリンク情報に関連付けられた文書情報を取得する取得工程と、前記取得工程によって取得された文書情報に基づいて、前記出力手段に出力させる出力データを決定する決定工程と、前記決定工程によって決定された出力データを前記ＷＥＢ端末装置に送信する送信工程と、をコンピュータに実行させることを特徴とする。
【０００８】
この発明によれば、文書情報提供方法をコンピュータに実行させることにより、リンク情報に対する所定の操作に関する情報に基づいて、リンク情報に対する所定の操作がおこなわれた際に出力させる情報を、ＷＥＢ端末装置に送信することができる。
【０００９】
また、この発明にかかる文書情報提供方法は、リンク情報に対する所定の操作がおこなわれた際に、前記リンク情報に関連付けられた出力データを出力する出力手段を備えたＷＥＢ端末装置に対して、前記出力データを提供する文書情報提供方法であって、前記ＷＥＢ端末装置においておこなわれた、ＷＥＢページへのアクセス処理に関する情報（以下、「アクセス情報」という）を受信する受信工程と、前記受信工程によって受信されたアクセス情報によって特定されるＷＥＢページを取得するＷＥＢページ取得工程と、前記ＷＥＢページ取得工程によって取得されたＷＥＢページの中から、リンク情報を検索する検索工程と、前記検索工程によって検索されたリンク情報に関連付けられた文書情報を取得する文書情報取得工程と、前記文書情報取得工程によって取得された文書情報に基づいて、前記出力手段に出力させる出力データを決定する決定工程と、前記決定工程によって決定された出力データを前記ＷＥＢ端末装置に送信する送信工程と、をコンピュータに実行させることを特徴とする。
【００１０】
この発明によれば、文書情報提供方法をコンピュータに実行させることにより、ＷＥＢページへのアクセス処理に関する情報に基づいて、リンク情報に対する所定の操作がおこなわれた際に出力させる、リンク先のＷＥＢページに関する情報を、あらかじめＷＥＢ端末装置に送信しておくことができる。
【００１１】
また、この発明にかかる文書情報提供方法は、上記に記載の発明において、前記リンク情報に対する所定の操作は、マウスオーバー操作であることを特徴とする。
【００１２】
この発明によれば、文書情報提供方法をコンピュータに実行させることにより、リンク情報に対するマウスオーバー操作がおこなわれた際に出力させる、リンク先のＷＥＢページに関する情報を、ＷＥＢ端末装置に送信することができる。
【００１３】
また、この発明にかかる文書情報提供方法は、上記に記載の発明において、前記文書情報は、人気度、安全度、要約、キーワード、の少なくともいずれか一つを含むことを特徴とする。
【００１４】
この発明によれば、文書情報提供方法をコンピュータに実行させることにより、リンク情報に対する所定の操作がおこなわれた際に出力させる、リンク先のＷＥＢページの人気度、安全度、要約、キーワード、の少なくともいずれか一つを含む文書情報に基づく情報を、ＷＥＢ端末装置に送信することができる。
【００１５】
また、この発明にかかる文書情報提供方法は、上記に記載の発明において、前記出力データは、ＷＥＢページの安全性を示すデータであることを特徴とする。
【００１６】
この発明によれば、文書情報提供方法をコンピュータに実行させることにより、リンク情報に対する所定の操作がおこなわれた際に出力させる、リンク先のＷＥＢページの安全性に関する情報を、ＷＥＢ端末装置に送信することができる。
【００１７】
また、この発明にかかる文書情報提供方法は、上記に記載の発明において、前記出力データは、ポップアップ画面表示データであることを特徴とする。
【００１８】
この発明によれば、文書情報提供方法をコンピュータに実行させることにより、リンク情報に対する所定の操作がおこなわれた際にポップアップ画面表示させる、リンク先のＷＥＢページに関する情報を、ＷＥＢ端末装置に送信することができる。
【００１９】
また、この発明にかかる文書情報提供方法は、上記に記載の発明において、前記出力データは、音声出力データであることを特徴とする。
【００２０】
この発明によれば、文書情報提供方法をコンピュータに実行させることにより、リンク情報に対する所定の操作がおこなわれた際に音声出力させる、リンク先のＷＥＢページに関する情報を、ＷＥＢ端末装置に送信することができる。
【００２１】
また、この発明にかかる文書情報提供プログラムは、リンク情報に対する所定の操作がおこなわれた際に、前記リンク情報に関連付けられた出力データを出力する出力手段を備えたＷＥＢ端末装置に対して、前記出力データを提供する文書情報提供プログラムであって、前記ＷＥＢ端末装置においておこなわれた、前記リンク情報に対する所定の操作に関する情報（以下、「操作情報」という）を受信する受信工程と、前記受信工程によって受信された操作情報によって特定されるリンク情報に関連付けられた文書情報を取得する取得工程と、前記取得工程によって取得された文書情報に基づいて、前記出力手段に出力させる出力データを決定する決定工程と、前記決定工程によって決定された出力データを前記ＷＥＢ端末装置に送信する送信工程と、をコンピュータに実行させることを特徴とする。
【００２２】
この発明によれば、文書情報提供プログラムをコンピュータに実行させることにより、リンク情報に対する所定の操作に関する情報に基づいて、リンク情報に対する所定の操作がおこなわれた際に出力させる情報を、ＷＥＢ端末装置に送信することができる。
【００２３】
また、この発明にかかる文書情報提供プログラムは、リンク情報に対する所定の操作がおこなわれた際に、前記リンク情報に関連付けられた出力データを出力する出力手段を備えたＷＥＢ端末装置に対して、前記出力データを提供する文書情報提供プログラムであって、前記ＷＥＢ端末装置においておこなわれた、ＷＥＢページへのアクセス処理に関する情報（以下、「アクセス情報」という）を受信する受信工程と、前記受信工程によって受信されたアクセス情報によって特定されるＷＥＢページを取得するＷＥＢページ取得工程と、前記ＷＥＢページ取得工程によって取得されたＷＥＢページの中から、リンク情報を検索する検索工程と、前記検索工程によって検索されたリンク情報に関連付けられた文書情報を取得する文書情報取得工程と、前記文書情報取得工程によって取得された文書情報に基づいて、前記出力手段に出力させる出力データを決定する決定工程と、前記決定工程によって決定された出力データを前記ＷＥＢ端末装置に送信する送信工程と、をコンピュータに実行させることを特徴とする。
【００２４】
この発明によれば、文書情報提供プログラムをコンピュータに実行させることにより、ＷＥＢページへのアクセス処理に関する情報に基づいて、リンク情報に対する所定の操作がおこなわれた際に出力させる、リンク先のＷＥＢページに関する情報を、あらかじめＷＥＢ端末装置に送信しておくことができる。
【００２５】
また、この発明にかかる文書情報提供装置は、リンク情報に対する所定の操作がおこなわれた際に、前記リンク情報に関連付けられた出力データを出力する出力手段を備えたＷＥＢ端末装置に対して、前記出力データを提供する文書情報提供装置であって、前記ＷＥＢ端末装置においておこなわれた、前記リンク情報に対する所定の操作に関する情報（以下、「操作情報」という）を受信する受信手段と、前記受信手段によって受信された操作情報によって特定されるリンク情報に関連付けられた文書情報を取得する取得手段と、前記取得手段によって取得された文書情報に基づいて、前記出力手段に出力させる出力データを決定する決定手段と、前記決定手段によって決定された出力データを前記ＷＥＢ端末装置に送信する送信手段と、を備えたことを特徴とする。
【００２６】
この発明によれば、リンク情報に対する所定の操作に関する情報に基づいて、リンク情報に対する所定の操作がおこなわれた際に出力させる情報を、ＷＥＢ端末装置に送信することができる。
【００２７】
また、この発明にかかる文書情報提供装置は、リンク情報に対する所定の操作がおこなわれた際に、前記リンク情報に関連付けられた出力データを出力する出力手段を備えたＷＥＢ端末装置に対して、前記出力データを提供する文書情報提供装置であって、前記ＷＥＢ端末装置においておこなわれた、ＷＥＢページへのアクセス処理に関する情報（以下、「アクセス情報」という）を受信する受信手段と、前記受信手段によって受信されたアクセス情報によって特定されるＷＥＢページを取得するＷＥＢページ取得手段と、前記ＷＥＢページ取得手段によって取得されたＷＥＢページの中から、リンク情報を検索する検索手段と、前記検索手段によって検索されたリンク情報に関連付けられた文書情報を取得する文書情報取得手段と、前記文書情報取得手段によって取得された文書情報に基づいて、前記出力手段に出力させる出力データを決定する決定手段と、前記決定手段によって決定された出力データを前記ＷＥＢ端末装置に送信する送信手段と、を備えたことを特徴とする。
【００２８】
この発明によれば、ＷＥＢページへのアクセス処理に関する情報に基づいて、リンク情報に対する所定の操作がおこなわれた際に出力させる、リンク先のＷＥＢページに関する情報を、あらかじめＷＥＢ端末装置に送信しておくことができる。
【００２９】
また、この発明にかかるＷＥＢ端末装置は、ＷＥＢページを表示する表示手段と、前記表示手段によって表示されたＷＥＢページのうち、リンク情報に対する所定の操作の入力を受け付ける入力手段と、前記入力手段によって前記リンク情報に対する所定の操作がおこなわれた結果、前記リンク情報に関連付けられた文書情報を取得する取得手段と、前記取得手段によって取得された文書情報に基づいて、出力データを決定する決定手段と、前記決定手段によって決定された出力データを出力する出力手段と、を備えたことを特徴とする。
【００３０】
この発明によれば、リンク情報に対する所定の操作がおこなわれた際に、リンク情報に関する情報を出力することができる。
【発明の効果】
【００３１】
本発明にかかる文書情報提供方法、文書情報提供プログラム、文書情報提供装置、およびＷＥＢ端末装置によれば、ユーザに無駄な操作をおこなわせることなく、ＷＥＢページの安全性をユーザに把握させることにより、インターネットサービスにおけるユーザビリティの向上を図ることができるという効果を奏する。
【発明を実施するための最良の形態】
【００３２】
（実施の形態１）
以下に添付図面を参照して、この発明にかかる文書情報提供方法、文書情報提供プログラム、文書情報提供装置、およびＷＥＢ端末装置の好適な実施の形態１を、インターネットを利用した文書閲覧システムを一例に、詳細に説明する。
【００３３】
（文書閲覧システムのシステム構成）
まず、本実施の形態１にかかる文書閲覧システムのシステム構成について説明する。図１は、本実施の形態１にかかる文書閲覧システムのシステム構成を示す説明図である。
【００３４】
図１において、文書閲覧システム１００は、文書情報提供装置１１０と、ＷＥＢ端末装置１２０と、を備えて構成されており、それぞれがインターネット１３０に接続されている。
【００３５】
文書閲覧システム１００において、文書情報提供装置１１０は、ＷＥＢ端末装置１２０から送信されたＷＥＢページへのアクセス要求（アクセス情報）を受信して、受信したアクセス要求によって特定されるＷＥＢページをインターネット１３０に接続されたＷＥＢサーバ（図示省略）から取得して、取得したＷＥＢページをＷＥＢ端末装置１２０へ送信する。
【００３６】
また、文書情報提供装置１１０は、ＷＥＢ端末装置１２０に送信したＷＥＢページにリンク情報が含まれている場合、リンク情報（リンク先のＷＥＢページ）に関連付けられた出力データをＷＥＢ端末装置１２０へ送信することができる。
【００３７】
ＷＥＢ端末装置１２０は、パーソナル・コンピュータなどのコンピュータ装置であって、本体１２１、ディスプレイ１２２（表示手段および出力手段）、スピーカ１２３（出力手段）、マウス１２４およびキーボード１２５（入力手段）などによって構成されている。また、ＷＥＢ端末装置１２０には、たとえば、ＷＥＢページを表示するためのＷＥＢブラウザや、ＷＥＢページに表示された文字列を読み上げたうえ、音声出力するための音声ブラウザなどのプログラムが導入されている。
【００３８】
ＷＥＢ端末装置１２０は、ユーザが所望する任意のＷＥＢページへのアクセス要求を、文書情報提供装置１１０へ送信する。その結果、文書情報提供装置１１０から送信されたＷＥＢページを表示する。なお、ＷＥＢ端末装置１２０は、パーソナル・コンピュータに限らず、たとえば、文書情報提供装置１１０から送信されたＷＥＢページを表示することが可能な、ＰＤＡ、携帯電話、その他の端末装置であってもよい。
【００３９】
また、ＷＥＢ端末装置１２０は、リンク情報に対する所定の操作がおこなわれた際に、このリンク情報（リンク先のＷＥＢページ）に関連付けられた出力データであって、文書情報提供装置１１０から送信された出力データを出力することができる。ここで、本実施の形態１において、上記所定の操作とは、マウスオーバー操作のことを示すが、これに限ったものではない。たとえば、ＷＥＢ端末装置１２０は、上記出力データを、ディスプレイ１２２にポップアップ画面表示させたり、スピーカ１２３に音声出力させたりすることができる。
【００４０】
（文書情報提供装置１１０のハードウェア構成）
つぎに、本実施の形態１にかかる文書情報提供装置のハードウェア構成について説明する。図２は、本実施の形態１にかかる文書情報提供装置のハードウェア構成を示すブロック図である。
【００４１】
図２において、文書情報提供装置１１０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ＨＤＤ（Ｈａｒｄ  Ｄｉｓｃ  Ｄｒｉｖｅ）２０４と、ＨＤ（Ｈａｒｄ  Ｄｉｓｃ）２０５と、ＦＤＤ（Ｆｌｅｘｉｂｌｅ  Ｄｉｓｃ  Ｄｒｉｖｅ）２０６と、ＦＤ（Ｆｌｅｘｉｂｌｅ  Ｄｉｓｃ）２０７と、ＣＤ−ＲＷ（Ｃｏｍｐａｃｔ  Ｄｉｓｃ  ＲｅＷｒｉｔａｂｌｅ）ドライブ２０８と、ＣＤ−ＲＷ２０９と、ディスプレイ２１０と、キーボード２１１と、マウス２１２と、ネットワークＩ／Ｆ（インタフェース）２１３と、通信ケーブル２１４と、バス２２０とを備えて構成されている。
【００４２】
ＣＰＵ２０１は、文書情報提供装置１１０全体を制御する。ＲＯＭ２０２は、各種制御プログラムなどを格納する。ＲＡＭ２０３は、可変的なデータを書き換え自在に記憶し、ＣＰＵ２０１のワークエリアとして機能する。ＨＤＤ２０４は、ＣＰＵ２０１の制御にしたがってＨＤ２０５に対するデータのリード／ライトを制御する。ＨＤ２０５は、ＨＤＤ２０４の制御にしたがって書き込まれたデータを記憶する。
【００４３】
ＦＤＤ２０６は、ＣＰＵ２０１の制御にしたがってＦＤ２０７に対するデータのリード／ライトを制御する。ＦＤ２０７は、着脱自在であり、ＦＤＤ２０６の制御にしたがって書き込まれたデータを記憶する。ＣＤ−ＲＷドライブ２０８は、ＣＰＵ２０１の制御にしたがってＣＤ−ＲＷ（または、ＣＤ−Ｒ、ＣＤ−ＲＯＭ）２０９に対するデータのリード／ライトを制御する。ＣＤ−ＲＷ２０９は、着脱自在であり、ＣＤ−ＲＷドライブ２０８の制御にしたがって書き込まれたデータを記憶する。
【００４４】
ディスプレイ２１０は、カーソル、メニュー、ウィンドウ、あるいは文字や画像などの各種データを表示する。キーボード２１１は、文字、数値、各種指示などの入力のための複数のキーを備える。マウス２１２は、各種指示の選択や実行、処理対象の選択、マウスポインタの移動などを行う。ネットワークＩ／Ｆ２１３は、通信ケーブル２１４を介してＬＡＮ、ＷＡＮ、インターネットなどのネットワーク１３０に接続され、当該ネットワークとＣＰＵ２０１とのインタフェースとして機能する。バス２２０は上記各部を接続する。
【００４５】
（文書情報提供装置１１０の機能的構成）
つぎに、本実施の形態１にかかる文書情報提供装置１１０の機能的構成について説明する。図３は、本実施の形態１にかかる文書情報提供装置１１０の機能的構成を示すブロック図である。
【００４６】
図３に示すように、文書情報提供装置１１０は、記憶部３００と、受信部３０１と、取得部３０２と、決定部３０３と、送信部３０４と、を備えて構成されている。
【００４７】
図３において、記憶部３００は、文書情報、および出力データを記憶するデータベースである。ここで、文書情報は、リンク情報によって特定されるリンク先のＷＥＢページに関する情報であって、ＷＥＢページの人気度、安全度、キーワード、要約などによって構成される。記憶部３００には、ＷＥＢページごとに文書情報が設定される。なお、文書情報の一例については、図４を用いて後述する。
【００４８】
また、出力データは、リンク情報に対する所定の操作がおこなわれたＷＥＢ端末装置１２０に対して送信される情報であって、メッセージ、およびメッセージの強調度などによって構成される。記憶部３００には、文書情報に示された人気度および安全度に応じて出力データが設定される。なお、出力データの一例については、図５を用いて後述する。
【００４９】
なお、本実施の形態１においては、便宜上、文書情報提供装置１１０上に、上記各情報（文書情報および出力データ）を記憶する構成を用いて説明するが、これに限らず、たとえば、文書情報提供装置１１０からのアクセスが可能な装置上に、上記各情報を記憶する構成であってもよい。また、上記各情報を、複数の装置にまたがって記憶する構成であってもよい。
【００５０】
さらに、本実施の形態１においては、ＷＥＢ端末装置１２０と、文書情報提供装置１１０とを、別の装置としたが、これに限らず、たとえば、ＷＥＢ端末装置１２０に、文書情報提供装置１１０の機能を持たせるようにしてもよい。なお、記憶部３００は、具体的には、たとえば図２に示したＲＯＭ２０２、ＲＡＭ２０３、ＨＤ２０５、ＦＤ２０７によってその機能を実現する。
【００５１】
受信部３０１は、ＷＥＢ端末装置１２０から送信されたＷＥＢページへのアクセス要求（たとえば、Ｈｔｔｐリクエスト）を受信する。また、受信部３０１は、ＷＥＢ端末装置１２０においておこなわれた、リンク情報に対する所定の操作に関する操作情報を受信する。受信部３０１は、具体的には、たとえば図２に示したネットワークＩ／Ｆ２１３によってその機能を実現する。
【００５２】
取得部３０２は、インターネット１３０に接続されたＷＥＢサーバ（図示省略）から、受信部３０１によって受信されたアクセス要求によって特定されるＷＥＢページを取得する。ここで、取得部３０２は、アクセス要求に示されているＵＲＬ（Ｕｎｉｆｏｒｍ  Ｒｅｓｏｕｒｃｅ  Ｌｏｃａｔｏｒ）によって取得対象とするＷＥＢページを特定することができる。
【００５３】
また、取得部３０２は、記憶部３００に記憶されている文書情報の中から、受信部３０１によって受信された操作情報によって特定されるリンク情報に関連付けられている文書情報を取得する。取得部３０２は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００５４】
決定部３０３は、取得部３０２によって取得された文書情報に基づいて、ＷＥＢ端末装置１２０に備えられた出力手段に出力させる出力データを決定する。具体的には、たとえば、取得部３０２によって取得された文書情報（「人気度」および「安全度」）の設定値に基づいて、記憶部３００に記憶されている出力データの中から、出力データ（「メッセージ」および「強調度」）を取得する。なお、取得部３０２によって取得された文書情報の一部（たとえば、「キーワード」や「要約」）を出力データに含むようにしてもよい。決定部３０３は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００５５】
送信部３０４は、取得部３０２によって取得されたＷＥＢページをＷＥＢ端末装置１２０に送信する。また、送信部３０４は、決定部３０３によって決定された出力データをＷＥＢ端末装置１２０に送信する。ここで、送信部３０４は、決定部３０３によって決定された出力データそのものをＷＥＢ端末装置１２０に送信してもよいし、決定部３０３によって決定された出力データをＷＥＢ端末装置１２０に出力させるための制御情報やスクリプトなどをＷＥＢ端末装置１２０に送信するようにしてもよい。送信部３０４は、具体的には、たとえば図２に示したネットワークＩ／Ｆ２１３によってその機能を実現する。
【００５６】
（文書情報の一例）
つぎに、記憶部３００に記憶されている文書情報の一例について説明する。図４は、記憶部３００に記憶されている文書情報の一例を示す説明図である。
【００５７】
図４に示す文書情報は、リンク情報によって特定されるリンク先のＷＥＢページに関する情報であり、リンク先のＷＥＢページごとに、「ｕｒｌ」と、「人気度」と、「安全度」と、「キーワード」と、「要約」とが設定されて構成されている。
【００５８】
このうち、「ｕｒｌ」には、リンク先のＷＥＢページを一意に識別するためのＵＲＬが設定されている。また、「人気度」には、リンク先のＷＥＢページの人気度合いが数値（０〜１００）で設定されている。ここでは、設定されている数値が大きいほど、人気度が高いことを意味する。また、「安全度」には、リンク先のＷＥＢページの安全度合いが数値（０〜１００）で設定されている。ここでは、設定されている数値が大きいほど、安全度が高いことを意味する。また、「キーワード」には、リンク先のＷＥＢページの索引となる文字列が設定されている。また、「要約」には、リンク先のＷＥＢページの要点を示す文が設定されている。
【００５９】
このように記憶部３００に記憶されている文書情報は、図７を用いて後述する文書情報提供処理において、取得部３０２によって読み取られる。たとえば、リンク情報によって特定されるリンク先のＷＥＢページのＵＲＬが「ｈｔｔｐ：／／ｗｗｗ．×××．ｊｐ」であった場合、取得部３０２は、図４に示す文書情報から、人気度「１００」、安全度「７０」、キーワード「世界，自動者」、要約「世界の自動車を写真つきで説明」を読み取る。
【００６０】
（出力データの一例）
つぎに、記憶部３００に記憶されている出力データの一例について説明する。図５は、記憶部３００に記憶されている出力データの一例を示す説明図である。
【００６１】
図５に示す出力データは、リンク情報に対する所定の操作がおこなわれたＷＥＢ端末装置１２０に対して送信される情報であって、文書情報に示された人気度および安全度に応じて、「メッセージ」と、「強調度」とが設定されて構成されている。
【００６２】
このうち、「メッセージ」には、たとえば、ＷＥＢ端末装置１２０において、ポップアップ画面表示したり、音声出力したりすることによって、ユーザに通知するためのメッセージが設定されている。また、「強調度」には、ユーザに通知するメッセージの強調度合いが「小」、「中」、「大」を用いて段階的に設定されている。
【００６３】
ＷＥＢ端末装置１２０においては、この「強調度」に応じて、メッセージの出力が強調される。ＷＥＢ端末装置１２０による、メッセージの出力の強調方法としては、たとえば、ポップアップ画面表示する場合は、太字、下線、フォントサイズ変更、色変更などが挙げられる。また、たとえば、音声出力する場合は、音量変更などが挙げられる。
【００６４】
このように記憶部３００に記憶されている出力データは、図７を用いて後述する文書情報提供処理において、決定部３０３によって読み取られる。たとえば、図４に示した「ｈｔｔｐ：／／ｗｗｗ．×××．ｊｐ」を有するＷＥＢページの文書情報のように、リンク先のＷＥＢページに関する文書情報の「安全度」が「７０」であり、かつ「人気度」が「１００」であった場合、決定部３０３は、図５に示す出力データから、メッセージ「安全です」、強調度「大」を読み取る。
【００６５】
なお、出力データは、文字列データに限らず、たとえば、音声データ、画像データ、警告音など、ＷＥＢ端末装置１２０による出力が可能なデータであればどのような形式であってもよい。
【００６６】
（ＷＥＢ端末装置１２０による文書情報出力処理の手順）
つぎに、この発明の実施の形態１にかかるＷＥＢ端末装置１２０による文書情報出力処理の手順について説明する。図６は、この発明の実施の形態１にかかるＷＥＢ端末装置１２０による文書情報出力処理の手順の一例を示すフローチャートである。
【００６７】
まず、文書情報提供装置１１０へ、ＷＥＢページへのアクセス要求を送信する（ステップＳ６０１）。ＷＥＢページへのアクセス要求は、たとえば、ユーザによる、アドレスバーに対するＵＲＬの入力操作や、すでに表示されているＷＥＢページに含まれているリンク情報の選択操作がおこなわれることによって、文書情報提供装置１１０へ送信される。
【００６８】
つぎに、文書情報提供装置１１０において図７を用いて後述する文書情報提供処理がおこわなれた結果、文書情報提供装置１１０から送信されたＷＥＢページ（すなわち、ステップＳ６０１で要求したＷＥＢページ）を受信したか否かを判断する（ステップＳ６０２）。
【００６９】
ステップＳ６０２において、ＷＥＢページを受信していないと判断した場合（ステップＳ６０２：Ｎｏ）は、ステップＳ６０２でＷＥＢページを受信したと判断するまで、ステップＳ６０２を繰り返しおこなう。一方、ステップＳ６０２において、ＷＥＢページを受信したと判断した場合（ステップＳ６０２：Ｙｅｓ）は、ステップＳ６０２で受信したＷＥＢページを表示する（ステップＳ６０３）。
【００７０】
続いて、ステップＳ６０３で表示されたＷＥＢページに含まれているリンク情報に対するマウスオーバー操作がおこなわれたか否かを判断する（ステップＳ６０４）。ステップＳ６０４において、マウスオーバー操作がおこなわれていないと判断した場合（ステップＳ６０４：Ｎｏ）は、ステップＳ６０４でマウスオーバー操作がおこなわれたと判断するまで、ステップＳ６０４を繰り返しおこなう。
【００７１】
一方、ステップＳ６０４において、マウスオーバー操作がおこなわれたと判断した場合（ステップＳ６０４：Ｙｅｓ）は、文書情報提供装置１１０へ、ステップＳ６０４で行われたマウスオーバー操作に関する操作情報を送信する（ステップＳ６０５）。
【００７２】
そして、文書情報提供装置１１０において図７を用いて後述する文書情報提供処理がおこわなれた結果、文書情報提供装置１１０から送信された出力データを受信したか否かを判断する（ステップＳ６０６）。
【００７３】
ステップＳ６０６において、出力データを受信していないと判断した場合（ステップＳ６０６：Ｎｏ）は、ステップＳ６０６で出力データを受信したと判断するまで、ステップＳ６０６を繰り返しおこなう。一方、ステップＳ６０６において、出力データを受信したと判断した場合（ステップＳ６０６：Ｙｅｓ）は、ステップＳ６０６で受信した出力データを出力して（ステップＳ６０７）、一連の処理を終了する（つぎの操作がおこなわれるまで待機する）。
【００７４】
（文書情報提供装置１１０による文書情報提供処理の手順）
つぎに、この発明の実施の形態１にかかる文書情報提供装置１１０による文書情報提供処理の手順について説明する。図７は、この発明の実施の形態１にかかる文書情報提供装置１１０による文書情報提供処理の手順の一例を示すフローチャートである。
【００７５】
まず、受信部３０１によって、ＷＥＢ端末装置１２０から送信されたＷＥＢページへのアクセス要求（アクセス情報）を受信したか否かを判断する（ステップＳ７０１）。ステップＳ７０１において、アクセス要求を受信していないと判断した場合（ステップＳ７０１：Ｎｏ）は、ステップＳ７０１でアクセス要求を受信したと判断するまで、繰り返しステップＳ７０１をおこなう。
【００７６】
一方、ステップＳ７０１において、アクセス要求を受信したと判断した場合（ステップＳ７０１：Ｙｅｓ）は、取得部３０２によって、インターネット１２０に接続されたＷＥＢサーバから、ステップＳ７０１で受信されたアクセス要求によって特定されるＷＥＢページを取得して（ステップＳ７０２）、送信部３０４によって、ステップＳ７０２で取得されたＷＥＢページをＷＥＢ端末装置１２０へ送信する（ステップＳ７０３）。
【００７７】
続いて、受信部３０１によって、ＷＥＢ端末装置１２０から送信された操作情報を受信したか否かを判断する（ステップＳ７０４）。ステップＳ７０４において、操作情報を受信していないと判断した場合（ステップＳ７０４：Ｎｏ）は、ステップＳ７０４で操作情報を受信したと判断するまで、繰り返しステップＳ７０４をおこなう。
【００７８】
一方、ステップＳ７０４において、操作情報を受信したと判断した場合（ステップＳ７０４：Ｙｅｓ）は、取得部３０２によって、記憶部３００に記憶されている文書情報の中から、ステップＳ７０４で受信された操作情報によって特定されるリンク情報に関連付けられている文書情報を取得する（ステップＳ７０５）。
【００７９】
そして、決定部３０３によって、ステップＳ７０５で取得された文書情報に基づいて、ＷＥＢ端末装置１２０に備えられた出力手段に出力させる出力データを決定し（ステップＳ７０６）、ステップＳ７０６で決定された出力データをＷＥＢ端末装置１２０へ送信して（ステップＳ７０７）、一連の処理を終了する。
【００８０】
（ＷＥＢページおよび出力データの一例）
つぎに、ＷＥＢ端末装置１２０において表示されたＷＥＢページおよびＷＥＢ端末装置１２０において出力された出力データの一例について説明する。図８は、ＷＥＢ端末装置１２０において表示されたＷＥＢページの一例を示す説明図である。一方、図９は、ＷＥＢ端末装置１２０において出力された出力データの一例を示す説明図である。
【００８１】
図８に示すように、ＷＥＢ端末装置１２０（ディスプレイ１２２）の画面上に表示されたＷＥＢページには、３件のリンク情報（「世界の自動車大図鑑」、「大人の情報ページ」、「物理・化学質問箱」）が含まれている。ＷＥＢ端末装置１２０のユーザは、このように表示されたリンク情報の中から任意のリンク情報を選択することができるが、それぞれのリンク情報について、リンク先のＷＥＢページの人気度や安全度を知り得ることができない。
【００８２】
そこで、ユーザは、リンク情報に対するマウスオーバー操作をおこなうことによって、リンク情報に関連付けられている出力データをＷＥＢ端末装置１２０に表示または音声出力させることができる。
【００８３】
たとえば、図９に示すように、リンク情報「大人の情報ページ」に対するマウスオーバー操作をおこなった場合、このリンク情報「大人の情報ページ」に関連付けられている出力データとして、文字列「危険です」をポップアップ画面表示させることができる。ここで、文字列「危険です」は細字（ＷＥＢページの人気度が低いことを意味する）で示されている。このように表示された出力データによって、ユーザは、リンク先のＷＥＢページの安全度が低く、かつ人気度が低いことを直感的に把握することができる。
【００８４】
また、同時に、音声ブラウザなどのプログラムによって文字列「危険です」が読み上げられ、ＷＥＢ端末装置１２０に備えられたスピーカ１２３から、音声「危険です」を出力させることができる。ここで、音声「危険です」は、音声ブラウザの制御によって標準音量よりも小さい音量（ＷＥＢページの人気度が低いことを意味する）で出力されている。このように出力された出力データによっても、ユーザは、リンク先のＷＥＢページの安全度が低く、かつ人気度が低いことを直感的に把握することができる。
【００８５】
以上説明したように、本実施の形態１にかかる文書情報提供装置１１０は、ＷＥＢ端末装置１２０においておこなわれた、リンク情報に対するマウスオーバー操作に関する操作情報を受信して、受信された操作情報によって特定されるリンク情報に関連付けられた文書情報を取得して、取得された文書情報に基づいて、ＷＥＢページの安全性に関する出力データを決定して、決定された出力データをＷＥＢ端末装置１２０に送信する構成とした。
【００８６】
これにより、ＷＥＢ端末装置１２０においてリンク情報に対するマウスオーバー操作がおこなわれた際に、このリンク情報（ＷＥＢページ）の安全性に関する出力データをＷＥＢ端末装置１２０に出力させることができる。このため、ユーザは、リンク情報に対するマウスオーバー操作をおこなうだけといった簡単な操作により、リンク先のＷＥＢページの安全性を容易に把握することができ、結果的に、インターネットサービスにおけるユーザビリティの向上を図ることができる。また、インターネット経路上における無駄な通信が発生しないため、インターネット経路上における利用効率の向上を図ることができる。
【００８７】
なお、文書情報の取得方法として、あらかじめ記憶部３００に記憶された文書情報を取得する方法を用いたが、これに限らず、たとえば、文書情報提供装置１１０と接続された別の装置などから取得した様々な情報に基づいて、文書情報を求めることで取得するようにしてもよい。この場合、たとえば、「人気度」は、ＷＥＢページのアクセス数やランキングなどの情報から求めることができる。また、たとえば、「安全度」は、ＷＥＢページのキーワード、ページ内容、ブラックリストなどの情報から求めることができる。また、たとえば、「要約」は、ルールによる方法や、機械学習による方法など、既存の技術により、求めることができる。
【００８８】
（実施の形態２）
以下に添付図面を参照して、この発明にかかる文書情報提供方法、文書情報提供プログラム、文書情報提供装置、およびＷＥＢ端末装置の好適な実施の形態２を、インターネットを利用した文書閲覧システムを一例に、詳細に説明する。なお、文書閲覧システムのシステム構成、および文書情報提供装置のハードウェア構成については、実施の形態１と同様のため、説明を省略する。
【００８９】
（文書情報提供装置１１０の機能的構成）
まず、本実施の形態２にかかる文書情報提供装置１１０の機能的構成について説明する。図１０は、本実施の形態２にかかる文書情報提供装置１１０の機能的構成を示すブロック図である。
【００９０】
図１０に示すように、文書情報提供装置１１０は、記憶部１０００と、受信部１００１と、ＷＥＢページ取得部１００２と、検索部１００３と、文書情報取得部１００４と、決定部１００５と、送信部１００６と、を備えて構成されている。
【００９１】
図１０において、記憶部１０００は、実施の形態１（図３）で説明した記憶部３００と同様に、文書情報および出力データを記憶するデータベースである。なお、実施の形態１と同様に、便宜上、文書情報提供装置１１０上に、上記各情報（文書情報および出力データ）を記憶する構成を用いて説明するが、これに限らず、たとえば、文書情報提供装置１１０からのアクセスが可能な装置上に、上記各情報を記憶する構成であってもよい。また、上記各情報を、複数の装置にまたがって記憶する構成であってもよい。
【００９２】
さらに、本実施の形態２においては、ＷＥＢ端末装置１２０と、文書情報提供装置１１０とを、別の装置としたが、これに限らず、たとえば、ＷＥＢ端末装置１２０に、文書情報提供装置１１０の機能を持たせるようにしてもよい。なお、記憶部１０００は、具体的には、たとえば実施の形態１（図２）に示したＲＯＭ２０２、ＲＡＭ２０３、ＨＤ２０５、ＦＤ２０７によってその機能を実現する。
【００９３】
受信部１００１は、ＷＥＢ端末装置１２０から送信されたＷＥＢページへのアクセス要求（たとえば、Ｈｔｔｐリクエスト）を受信する。受信部１００１は、具体的には、たとえば実施の形態１（図２）に示したネットワークＩ／Ｆ２１３によってその機能を実現する。
【００９４】
ＷＥＢページ取得部１００２は、インターネット１３０に接続されたＷＥＢサーバ（図示省略）から、受信部１００１によって受信されたアクセス要求によって特定されるＷＥＢページを取得する。ここで、ＷＥＢページ取得部１００２は、アクセス要求に示されているＵＲＬによって取得対象とするＷＥＢページを特定することができる。ＷＥＢページ取得部１００２は、具体的には、たとえば実施の形態１（図２）に示したＲＯＭ２０２、ＲＡＭ２０３、ＨＤ２０５、ＦＤ２０７に記憶されたプログラムをＣＰＵ２０１が実行することによってその機能を実現する。
【００９５】
検索部１００３は、ＷＥＢページ取得部１００２によって取得されたＷＥＢページの中から、リンク情報を検索する。ここで、リンク情報とは、テキストやイメージデータに関連付けられたリンク先のＷＥＢページのＵＲＬである。たとえば、ＷＥＢページ取得部１００２によって取得されたＷＥＢページがＨＴＭＬ形式で構成されている場合、検索部１００３は、ＨＴＭＬ文書中に出現するタグ＜ａ＞の「ｈｒｅｆ」属性によってリンク情報を特定することができる。検索部１００３は、具体的には、たとえば実施の形態１（図２）に示したＲＯＭ２０２、ＲＡＭ２０３、ＨＤ２０５、ＦＤ２０７に記憶されたプログラムをＣＰＵ２０１が実行することによってその機能を実現する。
【００９６】
文書情報取得部１００４は、記憶部１０００に記憶されている文書情報の中から、検索部１００３によって検索されたリンク情報（すなわちリンク先のＷＥＢページのＵＲＬ）に関連付けられている文書情報を取得する。文書情報取得部１００４は、具体的には、たとえば実施の形態１（図２）に示したＲＯＭ２０２、ＲＡＭ２０３、ＨＤ２０５、ＦＤ２０７に記憶されたプログラムをＣＰＵ２０１が実行することによってその機能を実現する。
【００９７】
決定部１００５は、実施の形態１（図３）で説明した決定部３０３と同様に、文書情報取得部１００４によって取得された文書情報に基づいて、ＷＥＢ端末装置１２０に備えられた出力手段に出力させる出力データを決定する。決定部１００５は、具体的には、たとえば実施の形態１（図２）に示したＲＯＭ２０２、ＲＡＭ２０３、ＨＤ２０５、ＦＤ２０７に記憶されたプログラムをＣＰＵ２０１が実行することによってその機能を実現する。
【００９８】
送信部１００６は、実施の形態１（図３）で説明した送信部３０４と同様に、ＷＥＢページ取得部１００２によって取得されたＷＥＢページをＷＥＢ端末装置１２０に送信する。また、送信部３０４は、決定部１００５によって決定された出力データをＷＥＢ端末装置１２０に送信する。送信部１００６は、具体的には、たとえば実施の形態１（図２）に示したネットワークＩ／Ｆ２１３によってその機能を実現する。
【００９９】
（ＷＥＢ端末装置１２０による文書情報出力処理の手順）
つぎに、この発明の実施の形態２にかかるＷＥＢ端末装置１２０による文書情報出力処理の手順について説明する。図１１は、この発明の実施の形態２にかかるＷＥＢ端末装置１２０による文書情報出力処理の手順の一例を示すフローチャートである。
【０１００】
まず、文書情報提供装置１１０へ、ＷＥＢページへのアクセス要求を送信する（ステップＳ１１０１）。ＷＥＢページへのアクセス要求は、たとえば、ユーザによる、アドレスバーに対するＵＲＬの入力操作や、すでに表示されているＷＥＢページに含まれているリンク情報の選択操作がおこなわれることによって文書情報提供装置１１０へ送信される。
【０１０１】
つぎに、文書情報提供装置１１０において図１２を用いて後述する文書情報提供処理がおこわなれた結果、文書情報提供装置１１０から送信されたＷＥＢページ（すなわち、ステップＳ１１０１で要求したＷＥＢページ）および出力データを受信したか否かを判断する（ステップＳ１１０２）。
【０１０２】
ステップＳ１１０２において、ＷＥＢページおよび出力データを受信していないと判断した場合（ステップＳ１１０２：Ｎｏ）は、ステップＳ１１０２でＷＥＢページおよび出力データを受信したと判断するまで、ステップＳ１１０２を繰り返しおこなう。一方、ステップＳ１１０２において、ＷＥＢページおよび出力データを受信したと判断した場合（ステップＳ１１０２：Ｙｅｓ）は、ステップＳ１１０２で受信したＷＥＢページを表示する（ステップＳ１１０３）。
【０１０３】
続いて、ステップＳ１１０３で表示されたＷＥＢページに含まれているリンク情報に対するマウスオーバー操作がおこなわれたか否かを判断する（ステップＳ１１０４）。ステップＳ１１０４において、マウスオーバー操作がおこなわれていないと判断した場合（ステップＳ１１０４：Ｎｏ）は、ステップＳ１１０４でマウスオーバー操作がおこなわれたと判断するまで、ステップＳ１１０４を繰り返しおこなう。
【０１０４】
一方、ステップＳ１１０４において、マウスオーバー操作がおこなわれたと判断した場合（ステップＳ１１０４：Ｙｅｓ）は、ステップＳ１１０２で受信した出力データの中から、マウスオーバー操作がおこなわれたリンク情報に関連付けられている出力データを取得する（ステップＳ１１０５）。そして、ステップＳ１１０５で取得した出力データを出力して（ステップＳ１１０６）、一連の処理を終了する（つぎの操作がおこなわれるまで待機する）。
【０１０５】
（文書情報提供装置１１０による文書情報提供処理の手順）
つぎに、この発明の実施の形態２にかかる文書情報提供装置１１０による文書情報提供処理の手順について説明する。図１２は、この発明の実施の形態２にかかる文書情報提供装置１１０による文書情報提供処理の手順の一例を示すフローチャートである。
【０１０６】
まず、受信部１００１によって、ＷＥＢ端末装置１２０から送信されたＷＥＢページへのアクセス要求（アクセス情報）を受信したか否かを判断する（ステップＳ１２０１）。ステップＳ１２０１において、アクセス要求を受信していないと判断した場合（ステップＳ１２０１：Ｎｏ）は、ステップＳ１２０１でアクセス要求を受信したと判断するまで、繰り返しステップＳ１２０１をおこなう。
【０１０７】
一方、ステップＳ１２０１において、アクセス要求を受信したと判断した場合（ステップＳ１２０１：Ｙｅｓ）は、ＷＥＢページ取得部１００２によって、インターネット１３０に接続されたＷＥＢサーバから、ステップＳ１２０１で受信されたアクセス要求によって特定されるＷＥＢページを取得して（ステップＳ１２０２）、送信部１００６によって、ステップＳ１２０２で取得されたＷＥＢページを、ＷＥＢ端末装置１２０へ送信する（ステップＳ１２０３）。
【０１０８】
続いて、検索部１００３によって、ステップＳ１２０２で取得されたＷＥＢページの中から、リンク情報を検索する（ステップＳ１２０４）。そして、ステップＳ１２０４で検索されたリンク情報の中から一つ、リンク情報を選択する（ステップＳ１２０５）。そして、文書情報取得部１００４によって、記憶部１０００に記憶されている文書情報の中から、ステップＳ１２０５で選択されたリンク情報に関連付けられている文書情報を取得する（ステップＳ１２０６）。
【０１０９】
さらに、決定部１００５によって、ステップＳ１２０６で取得された文書情報に基づいて、ＷＥＢ端末装置１２０に備えられた出力手段に出力させる出力データを決定する（ステップＳ１２０７）。
【０１１０】
続いて、ステップＳ１２０４で検索されたリンク情報の中から全てのリンク情報が選択されたか否かを判断する（ステップＳ１２０８）。ステップＳ１２０８において、全てのリンク情報が選択されていないと判断した場合は（ステップＳ１２０８：Ｎｏ）、ステップＳ１２０８で全てのリンク情報が選択されたと判断するまで、繰り返しステップＳ１２０５〜ステップＳ１２０８をおこなう。
【０１１１】
一方、ステップＳ１２０８において、全てのリンク情報が選択されたと判断した場合は（ステップＳ１２０８：Ｙｅｓ）、送信部１００６によって、ステップＳ１２０７で決定された全ての出力データを、ＷＥＢ端末装置１２０へ送信して（ステップＳ１２０９）、一連の処理を終了する。
【０１１２】
以上説明したように、本実施の形態２にかかる文書情報提供装置１１０は、ＷＥＢ端末装置１２０から送信された、ＷＥＢページへのアクセス要求を受信して、受信されたアクセス要求によって特定されるＷＥＢページを取得して、取得されたＷＥＢページの中から、リンク情報を検索して、検索されたリンク情報に関連付けられた文書情報を取得して、取得された文書情報に基づいて、ＷＥＢページの安全性に関する出力データを決定して、決定された出力データをＷＥＢ端末装置１２０に送信する構成とした。
【０１１３】
これにより、ＷＥＢ端末装置１２０においてリンク情報に対するマウスオーバー操作がおこなわれた際に、このリンク情報（ＷＥＢページ）の安全性に関する出力データをＷＥＢ端末装置１２０に出力させることができる。このため、ユーザは、リンク情報に対するマウスオーバー操作をおこなうだけといった簡単な操作により、リンク先のＷＥＢページの安全性を容易に把握することができ、結果的に、インターネットサービスにおけるユーザビリティの向上を図ることができる。また、インターネット経路上における無駄な通信が発生しないため、インターネット経路上における利用効率の向上を図ることができる。
【０１１４】
特に、本実施の形態２にかかる文書情報提供装置１１０は、マウスオーバー操作がおこなわれた際に出力させる出力データをあらかじめＷＥＢ端末装置１２０に送信しておく構成としているため、インターネット経路上における通信の発生をより抑えることができる。
【０１１５】
なお、本実施の形態２においては、ＷＥＢページと、出力データとを、別々に送信するようにしたが、これに限らず、たとえば、ＷＥＢページと、出力データとを、同時に送信するようにしてもよい。たとえば、ＷＥＢページのリンク情報を構成するタグ＜ａ＞の「ｔｉｔｌｅ」属性に対して、出力データを設定して、出力データが設定されたＷＥＢページをＷＥＢ端末装置１２０へ送信するようにしてもよい。これにより、ＷＥＢ端末装置１２０においては、特別なプログラムを導入することなく、ＷＥＢブラウザの標準機能により、リンク情報に対するマウスオーバー操作がおこなわれた際に、このリンク情報に関連付けられている出力データをポップアップ画面表示させることができる。
【０１１６】
また、実施の形態１と同様に、文書情報の取得方法として、あらかじめ記憶部１０００に記憶された文書情報を取得する方法を用いたが、これに限らず、たとえば、文書情報提供装置１１０と接続された別の装置などから取得した様々な情報に基づいて、文書情報を求めることで取得するようにしてもよい。
【０１１７】
なお、実施の形態１および２で説明した文書情報提供方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１１８】
以上のように、本発明にかかる文書情報提供方法、文書情報提供プログラム、文書情報提供装置、およびＷＥＢ端末装置は、ＷＥＢページをユーザに提供するだけでなく、ＷＥＢページに関する付加情報をユーザに提供することができるインターネットサービスなどへの利用に適している。
【図面の簡単な説明】
【０１１９】
【図１】本実施の形態１にかかる文書閲覧システムのシステム構成を示す説明図である。
【図２】本実施の形態１にかかる文書情報提供装置のハードウェア構成を示すブロック図である。
【図３】本実施の形態１にかかる文書情報提供装置の機能的構成を示すブロック図である。
【図４】記憶部に記憶されている文書情報の一例を示す説明図である。
【図５】記憶部に記憶されている出力データの一例を示す説明図である。
【図６】この発明の実施の形態１にかかるＷＥＢ端末装置による文書情報出力処理の手順の一例を示すフローチャートである。
【図７】この発明の実施の形態１にかかる文書情報提供装置による文書情報提供処理の手順の一例を示すフローチャートである。
【図８】ＷＥＢ端末装置において表示されたＷＥＢページの一例を示す説明図である。
【図９】ＷＥＢ端末装置において出力された出力データの一例を示す説明図である。
【図１０】本実施の形態２にかかる文書情報提供装置の機能的構成を示すブロック図である。
【図１１】この発明の実施の形態２にかかるＷＥＢ端末装置による文書情報出力処理の手順の一例を示すフローチャートである。
【図１２】この発明の実施の形態２にかかる文書情報提供装置による文書情報提供処理の手順の一例を示すフローチャートである。
【符号の説明】
【０１２０】
１００  文書閲覧システム
１１０  文書情報提供装置
１２０  ＷＥＢ端末装置
１３０  インターネット
３００  記憶部
３０１  受信部
３０２  取得部
３０３  決定部
３０４  送信部
１０００  記憶部
１００１  受信部
１００２  ＷＥＢページ取得部
１００３  検索部
１００４  文書情報取得部
１００５  決定部
１００６  送信部
【図１】
2008181445.tif 000003
【図２】
2008181445.tif 000004
【図３】
2008181445.tif 000005
【図４】
2008181445.tif 000006
【図５】
2008181445.tif 000007
【図６】
2008181445.tif 000008
【図７】
2008181445.tif 000009
【図８】
2008181445.tif 000010
【図９】
2008181445.tif 000011
【図１０】
2008181445.tif 000012
【図１１】
2008181445.tif 000013
【図１２】
2008181445.tif 000014